(57)【要約】【課題】動作状態を確実に把握できるプロジェクタ、動作状態監視方法、動作状態監視プログラムおよびこれを記録した記録媒体を提供する。【解決手段】プロジェクタは、光学像を形成する装置本体と、起動時および動作中に所定のプログラムを実行する演算処理装置５１を有し、装置本体の制御を行う制御手段５とを備える。演算処理装置５１は、起動時に、装置本体の状態を判定する装置状態判定処理および制御手段の起動設定処理を行う起動処理手段５１１と、装置状態判定処理により異常が検出された部位の起動設定処理を規制する起動処理規制手段５１２と、動作中に装置本体を制御する駆動制御手段５１３と、駆動制御手段５１３の動作状態を監視する状態監視手段５１４と、状態監視手段５１４により異常が検出されると、起動設定処理を行う再起動処理手段５１５と、再起動処理中に、装置状態判定処理を割り込ませる判定処理割込手段５１６とを備える。【選択図】  図４
2006145999.tif 000002
【特許請求の範囲】
【請求項１】
光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタであって、
前記演算処理装置は、
起動時に、前記装置本体の状態を判定する装置状態判定処理、および、当該演算処理装置を含む制御手段の起動設定処理を行う起動処理手段と、
前記装置状態判定処理により異常が検出されると、当該異常が検出された部位の前記起動処理手段による起動設定処理を規制する起動処理規制手段と、
動作中に、入力信号に応じて制御信号を生成出力して前記装置本体を駆動制御する駆動制御手段と、
動作中に、前記駆動制御手段の動作状態を監視する状態監視手段と、
前記状態監視手段により異常が検出されると、前記起動設定処理を行う再起動処理手段と、
前記再起動処理手段による再起動処理中に、前記装置状態判定処理を割り込ませる判定処理割込手段とを備えていることを特徴とするプロジェクタ。
【請求項２】
請求項１に記載のプロジェクタにおいて、
前記装置本体および前記制御手段を内部に収納する筐体と、前記装置本体および前記制御手段に電力を供給する電力供給手段とを備え、
前記筐体には、前記光源を挿抜する光源挿抜用開口部が形成され、この開口部には、光源用蓋部材が装着され、
前記制御手段は、前記光源用蓋部材の開閉状態を検出する開閉状態検出手段を備え、
前記再起動処理手段は、前記開閉状態検出手段による検出から前記装置状態判定処理を行うことを特徴とするプロジェクタ。
【請求項３】
請求項１または請求項２に記載のプロジェクタにおいて、
前記装置本体および前記制御手段を内部に収納する筐体と、前記装置本体および前記制御手段に電力を供給する電力供給手段とを備え、
前記筐体には、外部空気を取り込む吸気口が形成され、当該吸気口には、通気可能な吸気用蓋部材が装着され、
前記装置本体は、この吸気口近傍に配置され、前記筐体内外に空気を循環させるファンを備え、
前記制御手段は、前記吸気用蓋部材の開閉状態を検出する第２開閉状態検出手段を備え、
前記再起動処理手段は、前記第２開閉状態検出手段による検出から前記装置状態判定処理を行うことを特徴とするプロジェクタ。
【請求項４】
光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタの動作状態を検出する動作状態監視方法であって、
前記制御手段に、
前記演算処理装置による装置本体の駆動制御処理中に、当該演算処置装置を監視する状態監視ステップと、
前記状態監視ステップにより異常が発生したと判定されると、前記演算処理装置に再起動処理を実行させる再起動処理ステップと、
前記再起動処理中に、前記装置本体の状態を判定する装置状態判定処理を割り込ませる判定処理割込ステップとを実行させることを特徴とする動作状態監視方法。
【請求項５】
光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタの動作状態を検出するために、前記制御手段上で実行可能な動作状態監視プログラムであって、
前記制御手段に、
前記演算処理装置による装置本体の駆動制御処理中に、当該演算処置装置を監視する状態監視ステップと、
前記状態監視ステップにより異常が発生したと判定されると、前記演算処理装置に再起動処理を実行させる再起動処理ステップと、
前記再起動処理中に、前記装置本体の状態を判定する装置状態判定処理を割り込ませる判定処理割込ステップとを実行させることを特徴とする動作状態監視プログラム。
【請求項６】
請求項５に記載の動作状態監視プログラムをコンピュータ読み取り可能に記録したことを特徴とする記録媒体。
【発明の詳細な説明】
【技術分野】
【０００１】
本発明は、光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタ、当該プロジェクタの動作状態を検出する動作状態監視方法、動作状態監視プログラム、および、この動作状態監視プログラムをコンピュータ読み取り可能に記録した記録媒体に関する。
【背景技術】
【０００２】
従来、会議、学会、展示会等でのプレゼンテーション等にプロジェクタが用いられている。このようなプロジェクタは、光源ランプと、この光源ランプから射出された光束を画像情報に応じて変調して光学像を形成する光変調装置と、この光変調装置によって形成された光学像を拡大投射する投射レンズとを有する光学系、光源および光変調装置を含む装置全体の駆動を制御する制御系、および、これらに駆動電力を供給する電力供給系を有する装置本体と、この装置本体を内部に収納する筐体とを備えて構成されている。
【０００３】
このようなプロジェクタは、光源ランプの寿命や破損のために、当該光源ランプを交換可能に構成されるのが一般的である。すなわち、光源ランプを内部に収納するプロジェクタの外装筐体には、光源ランプ挿抜用の開口部が形成され、この開口部を開閉する蓋が設けられている。そして、光源ランプを交換する際には、当該蓋を開けて、開口部を介して光源ランプを交換できるように、近年のプロジェクタは構成されている。
しかしながら、プロジェクタ駆動時に光源ランプを収納する開口部の蓋が開放されると、高い電圧が印加される光源ランプに使用者が触れる危険性があるという問題がある。
【０００４】
このような問題に対して、蓋の開放を検出する蓋開閉検出部を備え、当該蓋開閉検出部から出力される信号に基づいて、光源ランプ挿抜用開口部を覆う蓋が開放されたと判定されると、光源ランプへの電力供給を停止するプロジェクタが知られている（例えば、特許文献１参照）。この特許文献１に記載のプロジェクタでは、蓋開閉検出部からの信号が判定部に入力し、当該判定部で蓋が開放されたと判定されると、ランプスイッチをオフにして、光源ランプへの電力供給を停止する。これにより、蓋の開放とほぼ同時に光源ランプへの電力供給が停止されるので、蓋が開放されたときでも、通電中の光源ランプに使用者が触れる危険を回避することができる。
【０００５】
【特許文献１】特開２００１−５７２９５号公報
【発明の開示】
【発明が解決しようとする課題】
【０００６】
しかしながら、特許文献１に記載のプロジェクタでは、蓋が開放されたか否かを判定する判定部のプログラムが暴走している場合には、当該判定部が正しい判定を行うことができない場合がある。ここで、蓋が開放されたことを判定部が正しく判定しない場合には、蓋が開放された場合でも光源ランプに対して電圧が印加されたままとなってしまうため、使用者が、電圧が印加されたままの光源ランプに触れる危険性があるという問題がある。このため、蓋が開放されるなど、動作状態に異常が発生した場合に、当該異常の発生をより確実に検出できるプロジェクタが要望されてきた。
【０００７】
本発明の目的は、動作状態を確実に把握することができるプロジェクタ、動作状態監視方法、動作状態監視プログラムおよび記録媒体
を提供することである。
【課題を解決するための手段】
【０００８】
前述した目的を達するために、本発明のプロジェクタは、光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタであって、前記演算処理装置は、起動時に、前記装置本体の状態を判定する装置状態判定処理、および、当該演算処理装置を含む制御手段の起動設定処理を行う起動処理手段と、前記装置状態判定処理により異常が検出されると、当該異常が検出された部位の前記起動処理手段による起動設定処理を規制する起動処理規制手段と、動作中に、入力信号に応じて制御信号を生成出力して前記装置本体を駆動制御する駆動制御手段と、動作中に、前記駆動制御手段の動作状態を監視する状態監視手段と、前記状態監視手段により異常が検出されると、前記起動設定処理を行う再起動処理手段と、前記再起動処理手段による再起動処理中に、前記装置状態判定処理を割り込ませる判定処理割込手段とを備えていることを特徴とする。
【０００９】
本発明によれば、状態監視手段が、プロジェクタの動作中に装置本体を駆動制御する駆動制御手段の動作状態を監視し、異常を検出した場合に、再起動処理手段が起動設定処理を実行して、制御手段の再起動処理を行う。この再起動処理の途中に、判定処理割込手段が、装置状態判定処理を割り込ませて、装置状態を判定させる。
これによれば、プロジェクタ動作中に駆動処理手段の動作状態に異常が発生したことを検出することができ、この異常発生に伴う制御手段の再起動処理時に、装置本体の状態を判定して、装置本体に異常が発生したか否かを検出することができる。従って、プロジェクタの動作中に、装置本体の駆動制御を行う駆動制御手段に異常が発生した場合であっても、装置本体の状態を検出して、当該状態を確実に把握することができる。また、これにより、異常が発生した部位の起動を、起動処理規制手段により規制することができる。
【００１０】
本発明では、前記装置本体および前記制御手段を内部に収納する筐体と、前記装置本体および前記制御手段に電力を供給する電力供給手段とを備え、前記筐体には、前記光源を挿抜する光源挿抜用開口部が形成され、この開口部には、光源用蓋部材が装着され、前記制御手段は、前記光源用蓋部材の開閉状態を検出する開閉状態検出手段を備え、前記再起動処理手段は、前記開閉状態検出手段による検出から前記装置状態判定処理を行うことが好ましい。
【００１１】
本発明によれば、プロジェクタの動作中に、装置本体を駆動制御する駆動制御手段に異常が発生した場合でも、光源用蓋部材の状態を検出することができ、当該光源用蓋部材が開放されている等の異常が発生した場合には、起動処理規制手段により、光源の起動処理を規制することができる。すなわち、駆動制御手段に異常が発生した場合に実行される再起動処理において、開閉状態検出手段による光源用蓋部材の状態の検出が行われる。これにより、確実に光源用蓋部材の状態を検出することができる。また、これにより、光源が露出して、使用者が通電中の光源に触ることを防ぐことができる。従って、プロジェクタの安全性を向上することができる。
また、再起動処理において、装置状態判定処理は、開閉状態検出手段による光源用蓋部材の状態検出から実行されるので、光源用蓋部材の開放をいち早く検出することができる。従って、プロジェクタの安全性を一層向上することができる。
【００１２】
本発明では、前記装置本体および前記制御手段を内部に収納する筐体と、前記装置本体および前記制御手段に電力を供給する電力供給手段とを備え、前記筐体には、外部空気を取り込む吸気口が形成され、当該吸気口には、通気可能な吸気用蓋部材が装着され、前記装置本体は、この吸気口近傍に配置され、前記筐体内外に空気を循環させるファンを備え、前記制御手段は、前記吸気用蓋部材の開閉状態を検出する第２開閉状態検出手段を備え、前記再起動処理手段は、前記第２開閉状態検出手段による検出から前記装置状態判定処理を行うことが好ましい。
【００１３】
本発明によれば、前述の光源用蓋部材の場合と同様に、プロジェクタの動作中に、装置本体を駆動制御する駆動制御手段に異常が発生した場合でも、吸気用蓋部材の状態を検出することができ、当該吸気用蓋部材が開放されている等の異常が発生した場合には、起動処理規制手段により、ファンの起動処理を規制することができる。
すなわち、駆動制御手段に異常が発生した場合に実行される再起動処理において、第２開閉状態検出手段による吸気用蓋部材の状態の検出が行われる。これにより、確実に吸気用蓋部材の状態を検出することができる。また、これにより、ファンが露出して、使用者がこれに触る危険を回避することができる。従って、プロジェクタの安全性を向上することができる。
また、再起動処理において、装置状態判定処理は、第２開閉状態検出手段による吸気用蓋部材の状態検出から実行されるので、光源用蓋部材の場合と同様に、吸気用蓋部材の開放をいち早く検出することができる。従って、プロジェクタの安全性を一層向上することができる。
【００１４】
また、本発明の動作状態監視方法は、光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタの動作状態を検出する動作状態監視方法であって、前記制御手段に、前記演算処理装置による装置本体の駆動制御処理中に、当該演算処置装置を監視する状態監視ステップと、前記状態監視ステップにより異常が発生したと判定されると、前記演算処理装置に再起動処理を実行させる再起動処理ステップと、前記再起動処理中に、前記装置本体の状態を判定する装置状態判定処理を割り込ませる判定処理割込ステップとを実行させることを特徴とする。
【００１５】
本発明によれば、前述のプロジェクタと同様に、装置本体の状態を確実に把握することができる。
すなわち、状態監視ステップにより、演算処理部による装置本体の駆動制御中の状態が監視され、異常が発生したと判定されると、再起動処理ステップにより、演算処理装置の再起動処理が行われる。また、この再起動処理中に、判定処理割込ステップにより、装置本体の状態を判定する装置状態判定処理が割り込まれて実行される。これによれば、演算処理装置による再起動に際して、装置本体の状態が検出されるので、演算処理装置による装置本体の駆動制御に異常が発生した場合でも、装置本体の状態の検出処理が割り込まれて処理される。従って、確実に装置本体の状態を検出することができる。
【００１６】
本発明の動作状態監視プログラムは、光源から射出された光束を画像情報に応じて変調して光学像を形成し、当該光学像を拡大投射する装置本体と、起動時および動作中に所定のプログラムが実行される演算処理装置を有し、前記装置本体の制御を行う制御手段とを備えたプロジェクタの動作状態を検出するために、前記制御手段上で実行可能な動作状態監視プログラムであって、前記制御手段に、前記演算処理装置による装置本体の駆動制御処理中に、当該演算処置装置を監視する状態監視ステップと、前記状態監視ステップにより異常が発生したと判定されると、前記演算処理装置に再起動処理を実行させる再起動処理ステップと、前記再起動処理中に、前記装置本体の状態を判定する装置状態判定処理を割り込ませる判定処理割込ステップとを実行させることを特徴とする。
【００１７】
本発明によれば、前述の動作状態監視方法と同様に、動作中のプロジェクタの装置本体の駆動制御において異常が発生した場合でも、確実に装置本体の状態を検出することができる。
すなわち、プロジェクタの制御手段上で、動作状態監視プログラムが実行されることにより、状態監視ステップで、装置本体の駆動制御中に異常が発生したと判定されると、再起動処理ステップで再起動処理が実行され、当該再起動処理中に、装置本体の状態を判定する装置状態判定処理が割り込まれて処理される。これにより、駆動制御処理中に異常があった場合でも、確実に装置本体の状態を検出することができる。
【００１８】
本発明の記録媒体は、前述の動作状態監視プログラムをコンピュータ読み取り可能に記録したことを特徴とする。
本発明によれば、記録媒体にコンピュータ読み取り可能に記録された動作状態監視プログラムを実行することで、前述のようなプロジェクタの動作状態を確実に把握することが可能となる。また、記録媒体として、ＲＯＭ（Read Only Memory）、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等を用いることができ、これらを利用して、動作状態検出プログラムをインストール、実行および配布することができる。
【発明を実施するための最良の形態】
【００１９】
以下、本発明の一実施形態を、図面に基づいて説明する。
（１）プロジェクタ１の構成
図１は、本実施形態に係るプロジェクタ１を上方前面側から見た斜視図である。図２は、プロジェクタ１を下方前面側から見た斜視図である。
プロジェクタ１は、光源から射出された光束を画像情報に応じて変調し、スクリーン等の投射面上に拡大投射する。このプロジェクタ１は、図１および図２に示すように、略直方体状の外装ケース２と、この外装ケース２から露出する投射レンズ３とを備えている。また、図１および図２では図示を省略したが、外装ケース２内部には、光学像を形成する光学ユニット４と、この光学ユニットを含む装置全体の駆動を制御する制御基板５と、これらに駆動電力を供給する電力供給手段としての電源ユニットとを備えている。
【００２０】
このうち、投射レンズ３は、外装ケース２の内部に収納された装置本体により形成された光学像を拡大投射する。この投射レンズ３は、筒状の鏡筒内に複数のレンズが収納された組レンズとして構成され、複数のレンズの相対位置を変更するレバー３Ａを備え、投射像のフォーカス調整および倍率調整が可能に構成されている。
【００２１】
（２）外装ケース２の構成
外装ケース２は、合成樹脂製の筐体であり、プロジェクタ１の装置本体を収納する。この外装ケース２は、図１および図２に示すように、プロジェクタ１の上部分を覆うアッパーケース１１と、プロジェクタ１の下部分を覆うロアーケース１２とを備えている。これらアッパーケース１１およびロアーケース１２は、ねじ等により固定され、適宜着脱可能に構成されている。
【００２２】
アッパーケース１１は、図１および図２に示すように、プロジェクタ１の上面、前面、および側面をそれぞれ構成する上面部１１Ａ、前面部１１Ｂ、および側面部１１Ｃ（図１），１１Ｄ（図２）を含んで構成される。
このうち、上面部１１Ａおよび前面部１１Ｂは、図１に示すように、プロジェクタ１の上面から前面にかけて、凸曲面を有するように連続して形成されている。また、前面部１１Ｂの左右方向両端部、上面部１１Ａの左右方向両端部、および上面部１１Ａの後方側端部には、面取加工が施され、この加工部分１１１が上面部１１Ａおよび前面部１１Ｂを囲うように連続して形成されている。
【００２３】
この上面部１１Ａにおいて、後方側略中央部分には、プロジェクタ１の起動・調整操作を実施する操作パネル１４が設けられている。この操作パネル１４は、押釦スイッチを備えて構成され、複数の操作ボタン１４１を適宜押下することにより、操作パネル１４に応じたアッパーケース１１内に配置された図示しない回路基板に実装されたタクトスイッチと接触する。この回路基板は、後述する制御基板５に電気的に接続され、タクトスイッチと操作ボタン１４１が接触することで、接触したタクトスイッチに応じた操作信号が回路基板から制御基板５に出力される。そして、当該制御信号を制御基板５が処理することにより、所望の操作が可能となる。
また、この操作パネル１４には、操作ボタン１４１を囲うように化粧板１４２が設けられている。この化粧板１４２は、導光板としての機能を有し、プロジェクタ１の駆動時には、各操作ボタン１４１に応じた位置に、操作名称が発光するように構成されている。
【００２４】
また、上面部１１Ａの前方側略中央部分には、複数の孔１５が形成され、この内側に配置される図示しないスピーカから該孔１５を介して音声が出力される。
さらに、この上面部１１Ａの前方から見て右側部分には、投射レンズ３のレバー３Ａが露出し、該レバー３Ａの操作を可能にする切り欠き１６が形成されている。
【００２５】
前面部１１Ｂの前方から見て左側部分には、排気口１７が形成されている。この排気口１７の内部には、図示を略したが、冷却ファンが配置され、この冷却ファンにより、本体内部の空気が排気口１７を介して排出される。
また、この排気口１７には、それぞれ平行に配列する複数の羽根板１７Ａ１を有するルーバ１７Ａが取り付けられている。このルーバ１７Ａは、排出される空気を整流するとともにプロジェクタ１内外間の遮光機能も備えている。
【００２６】
前面部１１Ｂの前方から見て右側部分には、前述した切り欠き１６と連続し、略円形状の切り欠き１８が形成されている。そして、この切り欠き１８から、投射レンズ３の先端部分が露出している。
また、前面部１１Ｂの前方から見て上方側略中央部分には、リモコン受光モジュール２０の一部が露出するリモコン受光窓１９が形成されている。このうち、リモコン受光モジュール２０は、図示しないリモートコントローラからの赤外線信号を受信して、後述する制御基板５に、当該赤外線信号に応じた操作信号を出力する。
なお、図示を省略するが、これらリモコン受光モジュールおよびリモコン受光窓は、プロジェクタ１の背面側にも設けられており、プロジェクタ１の前方および後方の双方からリモートコントローラを用いてプロジェクタ１の遠隔操作を実施できるように構成されている。
【００２７】
側面部１１Ｃ、１１Ｄは、図１および図２に示すように、前述した上面部１１Ａおよび前面部１１Ｂの形状に対応して、前方に向かうにしたがって下方に曲折し、後方に向かうにしたがって背面側に曲折する形状を有している。
【００２８】
ロアーケース１２は、プロジェクタ１の底面、側面、および背面の一部をそれぞれ構成する底面部１２Ａ（図２）、側面部１２Ｂ（図１），１２Ｃ（図２）、および背面部（図示省略）を含んで構成される。
このうち、底面部１２Ａの前方側には、図２に示すように、略平板状の底面部分から斜め上方に向けて突出する突出部１２Ａ１が形成されている。この突出部１２Ａ１は、アッパーケース１１とロアーケース１２とが接続された状態で、アッパーケース１１の加工部分１１１と連続するように形成されている。そして、この底面部１２Ａは、プロジェクタ１の底面を構成するとともに、アッパーケース１１の前面部１１Ｂと接続してプロジェクタ１の前面を構成する。
【００２９】
底面部１２Ａの下方から見て左側略中央部分には、矩形状の開口部２１が形成され、当該開口部２１を覆うランプカバー２２が、着脱自在に設けられている。この開口部２１は、光源挿抜用開口部であり、当該開口部２１を介して、後述する光源装置４１１が本体内部に収納される。また、この開口部２１には、図示を省略するが、光源用蓋部材としてのランプカバー２２の着脱を検出する開閉状態検出手段としての第１検出スイッチ６１（図４参照）が設けられている。この第１検出スイッチ６１は、ランプカバー２２が取り付けられた場合に、所定の電気信号を制御基板５に出力し、当該ランプカバー２２が取り外された場合に、当該電気信号の出力を停止する。これにより、制御基板５にランプカバー２２の着脱を通知することができる。
なお、本実施形態では、プロジェクタ１は、開閉状態検出手段としてプッシュスイッチで構成される第１検出スイッチ６１を備えるとしたが、他の接触型スイッチや、フォトセンサおよび赤外線センサ等の非接触型スイッチによって構成してもよい。
【００３０】
底面部１２Ａの下方から見て右側で後方側の隅部は、内側に凹む段付き形状を有している。この隅部には、外部から冷却空気を吸入するための吸気口２３が形成されている。この吸気口２３の内側には、図示を省略したが、プロジェクタ１外部の空気を吸引して、当該プロジェクタ１内部の発熱部品を冷却する冷却ファンが設けられている。
【００３１】
この吸気口２３には、当該吸気口２３を覆う吸気用蓋部材としての吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
また、吸気口２３には、吸気口カバー２３Ａの着脱を検出する第２開閉状態検出手段としての第２検出スイッチ６２（図４参照）が設けられている。この第２検出スイッチ６２は、前述の第１検出スイッチ６１と同様に、吸気口カバー２３Ａが取り付けられた場合に、所定の電気信号を制御基板５に出力し、当該吸気口カバー２３Ａが取り外された場合に、当該電気信号の出力を停止する。これにより、制御基板５に吸気口カバー２３Ａの着脱を通知することができる。
なお、本実施形態では、プロジェクタ１は、第２開閉状態検出手段としてプッシュスイッチで構成される第２検出スイッチ６１を備えるとしたが、他の接触型スイッチや、フォトセンサおよび赤外線センサ等の非接触型スイッチによって構成してもよい。
【００３２】
底面部１２Ａの下方から見て後方側略中央部分には、プロジェクタ１の脚部を構成する固定脚部２４が設けられている。また、底面部１２Ａにおける前方側の左右角隅部分には、同じくプロジェクタ１の脚部を構成する調整脚部２５が設けられている。
このうち、調整脚部２５は、底面部１２Ａから面外方向に進退自在に突出する軸状部材から構成され、プロジェクタ１の投射時における該プロジェクタ１のあおり方向、すなわち、前後方向および左右方向の傾斜位置を調整可能としている。
【００３３】
底面部１２Ａの固定脚部２４の左右両側には、プロジェクタ１内外に空気を流通可能とする空気流通孔２６、２７が形成されている。この空気流通孔２６、２７を介して流通する空気により、該空気流通孔２６、２７に対応して配置されるプロジェクタ１内部の構成部材に発生する熱を放熱させている。
【００３４】
底面部１２Ａの前方側略中央部分には、投射方向に延びる２つの膨出部２８が形成されている。この膨出部２８は、中空状に形成され、その内側には、突出部１２Ａ１に形成された２つの孔１２Ａ２を介して、プロジェクタ１を運搬する際に利用されるハンドル２９が設置されている。このハンドル２９は、通常、ロアーケース１２の内部に収納されている。
【００３５】
側面部１２Ｂ，１２Ｃは、図１および図２に示すように、前方側が上方から下方に向けて曲折する形状を有し、投射方向略中央部分が上方に向かうにしたがって外側に拡がる凹曲面状に形成され、後方端部が背面側に曲折するように形成されている。そして、これら側面部１２Ｂ，１２Ｃは、アッパーケース１１の側面部１１Ｃ、１１Ｄと接続してプロジェクタ１の側面を構成する。
これら側面部１２Ｂ，１２Ｃの前方側には、図２に示すように、底面部１２Ａに設けられた調整脚部２５に対応して調整ボタン３０が設けられている。そして、この調整ボタン３０を押下することにより、調整脚部２５が進退駆動し、プロジェクタ１の前後方向および左右方向の傾斜位置が調整される。なお、図２では、側面部１２Ｃに設けられた調整ボタン３０のみが示されているが、側面部１２Ｂにも同様の調整ボタンが設けられている。
【００３６】
（３）光学ユニット４の構成
図３は、光学ユニット４の光学系を模式的に示す図である。
光学ユニット４は、前述のように、外装ケース２内部に収納され、光源装置から射出された光束を画像情報に応じて変調して光学像を形成し、投射レンズ３を介してスクリーン上に投射画像を形成するものである。
この光学ユニット４は、図３に示すように、インテグレータ照明光学系４１と、色分離光学系４２と、リレー光学系４３と、光変調装置および色合成光学装置を一体化した光学装置４４と、これら光学部品４１，４２，４３，４４を収納配置する光学部品用筐体（図示省略）とを備えて構成されている。
【００３７】
インテグレータ照明光学系４１は、光源から射出された光束を照明光軸直交面内における照度を均一にするための光学系である。このインテグレータ照明光学系４１は、図４に示すように、光源装置４１１、第１レンズアレイ４１２、第２レンズアレイ４１３、偏光変換素子４１４、および重畳レンズ４１５を備えて構成される。
【００３８】
光源装置４１１は、放射光源としての光源ランプ４１６と、リフレクタ４１７と、このリフレクタ４１７の光束射出面を覆う防爆ガラス４１８とを備えている。
この光源装置４１１では、光源ランプ４１６から射出された放射状の光束は、リフレクタ４１７で反射されて略平行光束とされ、防爆ガラス４１８を介して外部に射出される。
なお、本実施形態では、光源ランプ４１６として、高圧水銀ランプを採用しているが、メタルハライドランプやハロゲンランプ等を採用してもよい。また、リフレクタ４１７として放物面鏡を採用しているが、楕円面鏡からなるリフレクタの射出面に平行化凹レンズを配置した構成を採用してもよい。
【００３９】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００４０】
偏光変換素子４１４は、第２レンズアレイ４１３からの光を略１種類の直線偏光に変換するものであり、これにより、光学装置４４での光の利用効率が高められている。
具体的に、偏光変換素子４１４によって略１種類の直線偏光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の直線偏光に変換して、光学装置４４における光の利用効率を高めている。
なお、このような偏光変換素子４１４は、例えば、特開平８−３０４７３９号公報に紹介されている。
【００４１】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００４２】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００４３】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００４４】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００４５】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００４６】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４７】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投射画像の視野角が拡大され、かつ投射画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４８】
（４）制御基板５の構成
図４は、制御基板５の構成を示すブロック図である。
制御基板５は、本発明の制御手段に相当し、前述のように、プロジェクタ１の装置本体の駆動制御をするものであり、ＣＰＵ（Central Processing Unit）等を備えた回路基板として構成されている。
この制御基板５は、装置本体の起動および駆動を制御する演算処理装置としての演算処理部５１と、ＲＯＭ（Read Only Memory）５２と、ＲＡＭ（Random Access Memory）５３と、液晶パネル４４１を駆動制御する表示制御部５４と、ＦＭ(Frame Memory）５５と、レジスタ５６と、通電状態検出部５７とを備えて構成されている。
【００４９】
このうち、ＲＯＭ５２は、演算処理部５１によって処理されるプログラムや各種データが格納されている。具体的には、ＲＯＭ５２には、プロジェクタ１の起動時に、装置状態の判定処理時に処理される状態判定プログラム、制御手段の起動設定時に処理される起動プログラム、および、プロジェクタ１の駆動時に処理される制御プログラム等が格納されている。また、ＲＡＭ５３は、演算処理部５１の作業メモリとして利用され、必要に応じて、ＲＯＭ５２の制御データ等が一時的に書き込まれる。
【００５０】
表示制御部５４は、ＦＭ５６を介して入力する画像情報を処理し、処理した後の画像情報に応じて液晶パネル４４１を駆動制御して、光学像を形成させる。また、ＦＭ５６は、プロジェクタ１に接続される画像情報出力機器から入力する画像情報のうち、１フレーム分の画像情報を一時的に保持して、表示制御部５４に出力する。
通電状態検出部５７は、光源ランプ４１６と電気的に接続され、当該光源ランプ４１６への通電状態を監視、検出するものであり、演算処理部５１に検出信号を出力する。
【００５１】
演算処理部５１は、ＣＰＵから構成され、機能的に、起動処理部５１１と、起動処理規制部５１２と、駆動制御部５１３と、状態監視部５１４と、再起動処理部５１５と、判定処理割込部５１６とに分類される。
このうち、起動処理部５１１は、本発明の起動処理手段に相当し、プロジェクタ１の起動時に、装置状態判定処理および起動設定処理を行う。
具体的に、装置状態判定処理では、プロジェクタ１を構成する各部品の状態、および、画像情報出力機器と接続されるインターフェースの状態を取得して、これらの状態に異常がないかが判定される。例えば、前述の第１検出スイッチ６１および第２検出スイッチ６２からの信号により、ランプカバー２２および吸気口カバー２３Ａが取り外されていないかが判定される。また、通電状態検出部５７からの信号により、光源ランプ４１６が装着され、当該光源ランプ４１６に対して電力供給が可能であるかが判定される。
また、起動設定処理は、装置状態判定処理において異常が検出されなかった各構成部品を駆動できるように、制御基板５の初期設定を行う。
【００５２】
起動処理規制部５１２は、本発明の起動処理規制手段に相当し、起動処理部５１１の装置状態判定処理において、異常が検出された構成部品が存在すると、当該構成部品に対する起動設定処理を規制する。例えば、前述の第１検出スイッチ６１からの信号が、ランプカバー２２が取り外されている旨の信号であれば、光源ランプ４１６への電力供給を停止する。また、第２検出スイッチ６２からの信号が、吸気口カバー２３Ａが取り外されている旨の信号であれば、吸気口２３の内側に収納された冷却ファンに対する電力供給を停止する。さらに、通電状態検出部５７からの信号が、光源ランプ４１６に対する電力供給が不可能である旨の信号であれば、当該光源ランプ４１６に対する電力供給を停止する。
【００５３】
駆動制御部５１３は、本発明の駆動制御手段に相当し、入力する信号に応じて所定の操作を実行させる制御信号を生成出力して、プロジェクタ１の駆動を制御する。この駆動制御部５１３は、起動が完了し、動作中のプロジェクタ１本体の駆動制御を行う。この駆動制御部５１３による駆動制御は、ＲＯＭ５２に格納された制御プログラムに基づいて行われる。また、駆動制御部５１３は、起動処理部５１１が処理する装置状態判定処理と同様の処理を、プロジェクタ１の動作中に実行する。
また、駆動制御部５１３は、所定の周期でレジスタ５６に所定の値を設定する。
【００５４】
状態監視部５１４は、本発明の状態監視手段に相当し、駆動制御部５１３の動作状態を監視する。具体的には、状態監視部５１４は、所定の周期でレジスタ５６の値を判定し、駆動制御部５１３による値設定がされているか否かで、駆動制御部５１３が正常動作しているか、あるいは、異常動作しているかを判定する。具体的には、状態監視部５１４は、レジスタ５６の値が駆動制御部５１３によって設定された値であれば、駆動制御部５１３は、正常に駆動していると判定する。一方、レジスタ５６の値が駆動制御部５１３によって設定された値でなければ、駆動制御部５１３が異常動作していると判定する。また、この状態監視部５１４は、値の判定の後、レジスタ５６の値を初期化する。
なお、状態監視部５１４がレジスタ５６の値を判定する周期は、駆動制御部５１３がレジスタ５６に値を設定する周期と同じであるが、駆動制御部５１３により値設定のタイミングと、状態監視部５１４による値判定のタイミングとは、ずれるように設定されている。この周期は、本実施形態ではともに、およそ０．１秒とされているが、適宜設定してよい。
【００５５】
再起動処理部５１５は、本発明の再起動処理手段に相当し、状態監視部５１４により、駆動制御部５１３が異常動作していると判定された場合に、再起動処理を実行して、制御基板５のリセット処理を実行する。
なお、このような状態監視部５１４および再起動処理部５１５は、ウォッチドッグタイマーを備えて構成することができる。
【００５６】
判定処理割込部５１６は、本発明の判定処理割込手段に相当し、再起動処理部５１５による再起動処理の開始に応じて、当該リセット処理中に、装置状態判定処理を割り込ませて実行させる。すなわち、通常のリセット処理では、既に起動時に装置状態判定処理が実行されているので、起動処理部５１１は、起動設定処理しか行わない場合がある。これに対して、判定処理割込部５１６により、リセット処理中に、装置状態判定処理を実行させる。これにより、リセット処理中でも、プロジェクタ１の装置状態を判定、検出することができる。
【００５７】
（５）演算処理部５１による動作状態監視処理
以下に、プロジェクタ１の動作中に演算処理部５１により実行される動作状態監視処理について説明する。
図５は、動作中のプロジェクタ１における演算処理部５１の動作状態監視処理の処理フローを示す図である。
動作中のプロジェクタ１は、演算処理部５１を構成する駆動制御部５１３により、当該プロジェクタ１の装置状態の検出を行うとともに、状態監視部５１４により、当該駆動制御部５１３の動作状態の監視を行う。
このうち、駆動制御部５１３は、プロジェクタ１の駆動を制御するとともに、図５に示すように、プロジェクタ１の構成に異常が無いかを判定し、所定の処理を実行する。すなわち、駆動制御部５１３は、装置状態判定処理ＳＡ１を実行する。
【００５８】
図６は、装置状態判定処理ＳＡ１の処理フローを示す図である。
ここで、装置状態判定処理ＳＡ１では、まず、第１検出スイッチ６１からのランプカバー開閉検出信号を監視して（処理ＳＡ１１）、当該信号が、ランプカバー２２が装着されている旨の信号であるか、あるいは、取り外されている旨の信号であるかを判定する（処理ＳＡ１２）。
ここで、異常があったと判定された場合、すなわち、第１検出スイッチ６１から入力する信号が、ランプカバー２２が取り外されている旨の信号であると判定された場合には、起動処理規制部５１２により、光源ランプ４１６への電力供給を規制して（処理ＳＡ１３）、第２検出スイッチ６２からの吸気口カバー開閉検出信号の監視に処理を移行する（処理ＳＡ１７）。
一方、異常がないと判定された場合、すなわち、第１検出スイッチ６１から入力する信号が、ランプカバー２２が装着されている旨の信号であると判定された場合には、通電状態検出部５７からの信号を監視して（処理ＳＡ１４）、光源ランプ４１６への通電が可能であるか否かを判定する（処理ＳＡ１５）。
【００５９】
ここで、異常があったと判定された場合、すなわち、通電状態検出部５７からの信号が、光源ランプ４１６への通電が不可能である旨の信号であると判定された場合には、起動処理規制部５１２により、光源ランプ４１６への電力供給を規制して（処理ＳＡ１６）、第２検出スイッチ６２からの吸気口カバー開閉検出信号の監視に処理を移行する（処理ＳＡ１７）。
一方、異常がないと判定された場合、すなわち、通電状態検出部５７からの信号が、光源ランプ４１６への通電が可能である旨の信号であると判定された場合には、そのまま、第２検出スイッチ６２からの吸気口カバー開閉検出信号の監視を行う（処理ＳＡ１７）。
【００６０】
処理ＳＡ１７による信号監視状態で、駆動制御部５１３は、当該吸気口カバー開閉検出信号が、吸気口カバー２３Ａが取り付けられている旨の信号であるか、または、取り外されている旨の信号であるかを判定する（処理ＳＡ１８）。
ここで、異常がないと判定された場合、すなわち、吸気口カバー開閉検出信号が、吸気口カバー２３Ａが取り付けられている旨の信号であると判定された場合には、プロジェクタ１の他の構成および装置の状態を判定して（処理ＳＡ２０）、当該装置状態判定処理ＳＡ１を終了する。
一方、異常があったと判定された場合、すなわち、吸気口カバー開閉検出信号が、吸気口カバー２３Ａが取り外されている旨の信号であると判定された場合には、起動処理規制部５１２により、吸気口２３の内側に配置された冷却ファンへの電力供給を規制する（処理ＳＡ１９）。この後、プロジェクタ１の他の構成の状態を判定して（処理ＳＡ２０）、当該装置状態判定処理ＳＡ１を終了する。
【００６１】
以上のような装置状態判定処理ＳＡ１により、プロジェクタ１の動作中に、装置状態に問題が発生した場合でも、電力供給を規制するなどして、使用者に危険が及ぶ可能性を低減することができる。
【００６２】
この装置状態判定処理ＳＡ１の後、あるいは、処理の途中で、前述のレジスタ５６への値設定のタイミングとなった場合には、駆動制御部５１３は、図５に示すように、レジスタ５６に対して所定の値を設定する（処理ＳＡ２）。
このような駆動制御部５１３の処理に異常がない場合は、駆動制御部５１３は、処理ＳＡ１，ＳＡ２を繰り返し実行する。
一方、駆動制御部５１３の処理に、何らかの障害が発生し、当該処理に異常が発生した場合には、駆動制御部５１３が暴走する場合があり、この場合は、レジスタ５６に所定の値を設定するタイミングとなっても、値の設定がなされないままとなる。
【００６３】
このような駆動制御部５１３の処理を監視する状態監視部５１４は、図５に示すように、所定の周期でレジスタ５６の値の初期化（処理ＳＢ１）、当該値を取得（処理ＳＢ２）、および、当該値の判定（処理ＳＢ３）を行う。すなわち、状態監視部５１４は、レジスタ５６の値の初期化後、前述の周期の時間が経過して当該状態監視部５１４がレジスタ５６の値を判定するまでの間に、当該レジスタ５６の値が駆動制御部５１３により変更されるか否かで、駆動制御部５１３の処理の進行に異常が発生したか否かを判定する。
【００６４】
ここで、異常がないと判定された場合、すなわち、レジスタ５６の値が、駆動制御部５１３によって設定された値であると判定された場合であれば、処理ＳＢ１に戻ってレジスタ５６の値を初期化する。
一方、異常があった場合、すなわち、レジスタ５６の値が、駆動制御部５１３によって設定された値で無い場合には、状態監視部５１４は、再起動処理部５１５に再起動処理を促す信号を出力する（処理ＳＢ４）。
【００６５】
再起動処理部５１５は、状態監視部５１４からの信号入力を待機しており（処理ＳＣ１）、当該再起動処理部５１５に信号が入力すると、当該信号が、再起動信号であるか否かを判定する（処理ＳＣ２）。
ここで、入力した信号が再起動信号ではないと判定された場合には、再起動処理部５１５は、処理ＳＣ１に戻って、再び、信号入力待機状態となる。
一方、入力した信号が再起動信号であると判定された場合には、再起動処理ＳＣ３を実行して、制御基板５をリセットする。
【００６６】
図７は、再起動処理ＳＣ３の処理フローを示す図である。
再起動処理ＳＣ３において、再起動処理部５１５は、図７に示すように、まず、起動時に起動処理部５１１が実行した起動設定処理を実行し、制御基板５によるプロジェクタ１の構成部品を制御可能に設定する（処理ＳＣ３１）。
ここで、判定処理割込部５１６からの割込信号により、再起動処理部５１５は、前述の駆動制御部５１３が実行した装置状態判定処理ＳＡ１を実行する。すなわち、この判定処理割込部５１６からの割込信号の入力が、本発明の判定処理割込ステップに相当する。
この装置状態判定処理ＳＡ１が割り込まれて実行されることにより、再起動処理においても、プロジェクタ１の装置状態を確実に検出することができ、異常があった場合には、当該異常が発生した部位に対する電力供給を停止するなどの処理を実行することができる。従って、プロジェクタ１の安全性を一層向上することができる。
【００６７】
以上説明した本発明のプロジェクタ１により、以下の効果を奏することができる。
すなわち、プロジェクタ１の動作中に駆動制御部５１３が暴走するなどして、当該駆動制御部５１３の動作状態に異常が発生した場合でも、状態監視部５１４が、レジスタ５６に設定されている値を判定することにより、速やかに駆動制御部５１３の動作異常を検出することができる。これにより、状態監視部５１４は、駆動制御部５１３の動作異常を検出した場合に、再起動信号を再起動処理部に出力して、当該再起動処理部５１５により、再起動処理を実行することができる。また、この再起動処理中に、判定処理割込部５１６が、装置状態判定処理ＳＡ１を割り込ませて実行させることにより、ランプカバー２２および吸気口カバー２３Ａの開閉状態、および、光源ランプ４１６への通電状態を検出することができる。従って、いなかる場合も、迅速にプロジェクタ１の動作状態を検出することができる。
【００６８】
また、ランプカバー２２および吸気口カバー２３Ａの開閉状態の検出を行い、プロジェクタ１の起動時にこれらが開放されていた場合には、起動処理規制部５１２により、光源ランプ４１６およびファンへの電力供給を停止する。これにより、通電中の光源ランプ４１６に直接触れる危険性や、ファンの羽根車に接触する危険性を低減することができ、プロジェクタ１の安全性を向上することができる。
また、光源ランプ４１６への通電状態の検出を行い、通電が不可能であれば、光源ランプ４１６への電力供給を停止するので、プロジェクタ１の装置内部でショートしたりすることを防ぐことができる。
【００６９】
なお、以上説明したようなプロジェクタ１の動作状態監視処理は、プロジェクタ１の制御基板５上で、プロジェクタ１の動作時に実行される動作状態監視プログラムとして実現するように構成してもよい。すなわち、動作状態監視プログラムを保持するプロジェクタ１は、当該プロジェクタ１の動作時に動作状態監視プログラムを実行することによって、プロジェクタ１の動作状態を監視する構成としてもよい。このような場合、例えば、前述の動作状態監視処理を実行する動作状態監視プログラムを格納したＲＯＭを設け、プロジェクタ１が、起動時および通常動作時に、ＲＯＭから動作状態監視プログラムを読み込んで実行するように構成することで実現できる。このような構成とすれば、プロジェクタ１が前述の動作状態監視処理を自動的に実行することができるので、自動的に、かつ、確実にプロジェクタ１の動作状態を検出することができる。
【００７０】
また、このような動作状態監視プログラムは、ＲＯＭに格納される構成だけでなく、プロジェクタ１に接続可能に構成され、当該プロジェクタ１の制御基板５上で実行可能な記録媒体に格納される構成であってもよい。このような記録媒体として、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等を挙げることができる。
このような動作状態監視プログラムを、前述のような記録媒体に、コンピュータ読取可能に記録すれば、動作状態監視プログラムの配布を容易に行うことができる。また、インターネット等に接続して、動作状態監視プログラムを配布するような構成としても、同様である。
【００７１】
（６）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである
【００７２】
前記実施形態では、再起動処理において、起動設定処理を行った後に、装置状態判定処理を割り込ませて実行したが、可能であれば、装置状態判定処理を先に実行するようにしてもよい。また、ランプカバー２２の開放、光源ランプ４１６の通電状態、および、吸気口カバー２３Ａの開放の検出および判定を、装置状態判定処理において先に実行したが、これに限定されるものではない。なお、これらランプカバー２２の開放、光源ランプ４１６の通電状態、および、吸気口カバー２３Ａの開放の検出および判定を先に実行すれば、異常があった場合に迅速に処理できるので、使用者が通電中の光源ランプ４１６に触る危険性を一層低減することができる。
【００７３】
前記実施形態では、光学ユニット４が平面視略Ｌ字形状を有した構成を説明したが、これに限らず、例えば、平面視略Ｕ字形状を有した構成を採用してもよい。
また、前記実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
【００７４】
前記実施形態では、光入射面と光射出面とが異なる透過型の液晶パネルを用いていたが、光入射面と光射出面とが同一となる反射型の液晶パネルを用いてもよい。
また、前記実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
【００７５】
前記実施形態では、スクリーンを観察する方向から投射を行なうフロントタイプのプロジェクタの例のみを挙げたが、本発明は、スクリーンを観察する方向とは反対側から投射を行なうリアタイプのプロジェクタにも適用可能である。
【産業上の利用可能性】
【００７６】
本発明は、起動時および動作中に所定のプログラムが実行される演算処理装置を有し、装置本体の制御を行う制御手段を備えたプロジェクタに、好適に利用できる。
【図面の簡単な説明】
【００７７】
【図１】本発明の一実施形態に係るプロジェクタを上方前面側から見た斜視図。
【図２】前記実施形態におけるプロジェクタを下方前面側から見た斜視図。
【図３】前記実施形態における光学ユニットの光学系を示す模式図。
【図４】前記実施形態における制御基板の構成を示すブロック図。
【図５】前記実施形態における演算処理部の動作状態監視処理の処理フローを示す図。
【図６】前記実施形態における装置状態判定処理の処理フローを示す図。
【図７】前記実施形態における再起動処理の処理フローを示す図。
【符号の説明】
【００７８】
１…プロジェクタ、２…外装ケース、５…制御基板（制御手段）、２１…開口部（光源挿抜用開口部）、２２…ランプカバー（光源用蓋部材）、２３…吸気口、２３Ａ…吸気口カバー（吸気用蓋部材）、５１…演算処理部（演算処理装置）、６１…第１検出スイッチ（開閉状態検出手段）、６２…第２検出スイッチ（第２開閉状態検出手段）、４１６…光源ランプ（光源）、５１１…起動処理部（起動処理手段）、５１２…起動処理規制部（起動処理規制手段）、５１３…駆動制御部（駆動制御手段）、５１４…状態監視部（状態監視手段）、５１５…再起動処理部（再起動処理手段）、５１６…検出処理割込部（検出処理割込手段）、ＳＡ１…装置状態判定処理、ＳＢ３…処理（状態監視ステップ）、ＳＣ３…再起動処理（再起動処理ステップ）。
【図１】
2006145999.tif 000003
【図２】
2006145999.tif 000004
【図３】
2006145999.tif 000005
【図４】
2006145999.tif 000006
【図５】
2006145999.tif 000007
【図６】
2006145999.tif 000008
【図７】
2006145999.tif 000009